(57)【要約】      （修正有）【課題】Ｘ線撮影本体に対して被検体を所望どおりに正確に位置づけることができる天板支持台を備えたＸ線撮影装置の提供。【解決手段】天板支持台はほぼ直方体状をなし、ロック機構を備える車輪を介して移動できる支持台と、この支持台上に配置され該支持台に対してその短手方向および長手方向のうちの一方の方向に移動できるとともにその移動を抑止可能に構成する枠体摺動機構を前記支持台との間に備える枠体と、この枠体上に配置され該枠体に対してその短手方向および長手方向のうちの他方の方向に移動可能に構成するとともにその移動を抑止できる天板摺動機構を前記枠体との間に備える天板とからなるとともに、前記天板は少なくともその周囲を除く内側においてＸ線透過可能な部材で構成され、前記枠体はその内部において開口を有し、前記支持台は少なくともその側面の一部にあって前記Ｘ線検出器を前記天板の下方に位置づけるための挿入口が設けられている。【選択図】図１
2007175265.tif 000002
【特許請求の範囲】
【請求項１】
少なくとも、Ｘ線管と、このＸ線管と対向して配置されるＸ線検出器と、これらＸ線管およびＸ線検出器と物理的に分離されて構成される天板支持台とからなるものであって、
前記天板支持台は、その全体の形状がほぼ直方体状をなし、ロック機構を備える車輪を介して移動できる支持台と、この支持台上に配置され該支持台に対してその短手方向および長手方向のうちの一方の方向に移動できるとともにその移動を抑止可能に構成する枠体摺動機構を前記支持台との間に備える枠体と、この枠体上に配置され該枠体に対してその短手方向および長手方向のうちの他方の方向に移動可能に構成するとともにその移動を抑止できる天板摺動機構を前記枠体との間に備える天板とからなるとともに、
前記天板は少なくともその周囲を除く内側においてＸ線透過可能な部材で構成され、前記枠体はその内部において開口を有し、前記支持台は少なくともその側面の一部にあって前記Ｘ線検出器を前記天板の下方に位置づけるため該Ｘ線検出器を挿入させる開口が設けられていることを特徴とするＸ線撮影装置。
【請求項２】
前記Ｘ線管およびＸ線検出器は床置式のスタンドに取り付けられて構成され、該スタンドに対して床面からの高さ方向に移動できる回転軸の前記スタンドからせり出す側の端部において、アームの一端を間に位置づけて前記Ｘ線検出器が取り付けられ、このＸ線検出器はその検出面が前記アームの他端に取り付けた前記Ｘ線管と対向するようにして配置されていることを特徴する請求項１に記載のＸ線撮影装置。
【請求項３】
前記支持台に対してその短手方向に移動する枠体あるいは天板は、該支持台の短手方向と平行な移動許容範囲を被検体の撮影部位の大きさに対応づけることを特徴とする請求項１に記載のＸ線撮影装置。
【発明の詳細な説明】
【技術分野】
【０００１】
本発明はＸ線撮影装置に係り、特に、Ｘ線撮影の対象となる被検体を横臥させる天板支持台を備えるＸ線撮影装置に関する。
【背景技術】
【０００２】
Ｘ線撮影装置は被検体を間にして互いに対向配置されるＸ線管とＸ線検出器を少なくとも備え、該Ｘ線検出器はＸ線管と対向する面にたとえばマトリックスに配置された多数のＸ線検出素子を備えて形成され、被検体を通したＸ線管からのＸ線量を各Ｘ線検出素子によって検出することにより該被検体のＸ線撮影像を構成するようになっている。
【０００３】
そして、このような構成からなるＸ線撮影装置として、被検体を横臥させる天板がＸ線撮影装置と一体に構成されているもの、あるいは、天板がＸ線撮影装置と物理的に分離されて構成されているものが知られている。
【０００４】
このうち、後者のものは、天板を載置する支持台を備えた天板支持台がＸ線撮影本体（Ｘ線撮影装置から該天板支持台を除いた部分）の配置個所に拘束されることなく、床側に設けた車によって自由に移動できるようになっており、たとえば下記の特許文献１あるいは特許文献２によって開示されている。
【特許文献１】特開平１１−２９９７７３号公報
【特許文献２】特開２００５−６８８９号公報
【発明の開示】
【発明が解決しようとする課題】
【０００５】
そして、このように構成される天板支持台にあって、Ｘ線撮影本体から比較的離れた箇所で被検体を天板支持台に載置させ、そのまま該Ｘ線撮影本体にまで移動させて、該天板支持台上に載置させたままの被検体の所望の部位におけるＸ線撮影を行いたい場合がある。
【０００６】
しかし、特許文献１に開示された天板支持台は、被検体の該天板支持台からヘッドサポートによって突出して配置された頭部の周りに該頭部を間にして対向配置されるＸ線管とＸ線検出器を該被検体の体軸を中心として回転させるように構成されたものであり、被検体のたとえば胸部等のような所望の部位におけるＸ線撮影を対象外としたものである。
【０００７】
また、特許文献２に開示された天板支持台は、その天板支持台に対してその側面側に上下動できるだけのＸ線検出部が近接して配置され、被検体の側面におけるＸ線撮影を対象とするもので、被検体のたとえば腹側あるいは背中側におけるＸ線撮影を対象外としたものである。
【０００８】
このため、天板支持台に横臥された被検体のその腹側あるいは背中側からの撮影を含め所望の部位の撮影において、Ｘ線撮影本体に対して被検体を所望どおりに正確に位置づけられる構成の開示はなされていないものとなっている。
【０００９】
本発明は、このような事情に基づいてなされたものであり、その目的は、Ｘ線撮影本体に対して被検体を所望どおりに正確に位置づけ、被検体の所望の部位においてＸ線撮影を行う得る天板支持台を備えたＸ線撮影装置を提供することにある。
【課題を解決するための手段】
【００１０】
本願において開示される発明のうち、代表的なものの概要を簡単に説明すれば、以下のとおりである。
【００１１】
（１）本発明によるＸ線撮影装置は、たとえば、少なくとも、Ｘ線管と、このＸ線管と対向して配置されるＸ線検出器と、これらＸ線管およびＸ線検出器と物理的に分離されて構成される天板支持台とからなるものであって、
前記天板支持台は、その全体の形状がほぼ直方体状をなし、ロック機構を備える車輪を介して移動できる支持台と、この支持台上に配置され該支持台に対してその短手方向および長手方向のうちの一方の方向に移動できるとともにその移動を抑止可能に構成する枠体摺動機構を前記支持台との間に備える枠体と、この枠体上に配置され該枠体に対してその短手方向および長手方向のうちの他方の方向に移動可能に構成するとともにその移動を抑止できる天板摺動機構を前記枠体との間に備える天板とからなるとともに、
前記天板は少なくともその周囲を除く内側においてＸ線透過可能な部材で構成され、前記枠体はその内部において開口を有し、前記支持台は少なくともその側面の一部にあって前記Ｘ線検出器を前記天板の下方に位置づけるため該Ｘ線検出器を挿入させる開口が設けられていることを特徴とする。
【００１２】
（２）本発明によるＸ線撮影装置は、たとえば、（１）の構成を前提とし、前記Ｘ線管およびＸ線検出器は床置式のスタンドに取り付けられて構成され、該スタンドに対して床面からの高さ方向に移動できる回転軸の前記スタンドからせり出す側の端部において、アームの一端を間に位置づけて前記Ｘ線検出器が取り付けられ、このＸ線検出器はその検出面が前記アームの他端に取り付けた前記Ｘ線管と対向するようにして配置されていることを特徴する。
【００１３】
（３）本発明によるＸ線撮影装置は、たとえば、（１）の構成を前提とし、前記支持台に対してその短手方向に移動する枠体あるいは天板は、該支持台の短手方向と平行な移動許容範囲を被検体の撮影部位の大きさに応じて対向づけることを特徴とする。
【００１４】
なお、本発明は以上の構成に限定されず、本発明の技術思想を逸脱しない範囲で種々の変更が可能である。
【発明の効果】
【００１５】
このように構成されたＸ線撮影装置は、Ｘ線撮影本体に対して被検体を所望どおりに正確に位置づけ、被検体の所望の部位においてＸ線撮影を行う得る天板支持台を備えることができるようになる。
【発明を実施するための最良の形態】
【００１６】
以下、本発明によるＸ線撮影装置の実施例について図面を用いて説明をする。
【００１７】
図４は、本発明によるＸ線撮影装置の一実施例を示す斜視構成図である。また、図５において、該Ｘ線撮影装置の上面図（ａ）、正面図（ｂ）、および左側の側面図（ｃ）をそれぞれ示している。
【００１８】
図４および図５において、本発明によるＸ線撮影装置は、Ｘ線撮影本体１０とこのＸ線撮影本体１０とは物理的に分離されて構成される天板支持台３０とから構成されている。
【００１９】
Ｘ線撮影本体１０は、その概略を示すと、まず、床置式のスタンド１２を有し、このスタンド１２には床とほぼ平行に配置され該スタンド１２の高さ方向に沿って移動し得る回転軸１４を備えている。この回転軸１４は前記スタンド１２からせり出す側の端部において、アーム１６の一端を間に位置づけてＸ線検出器１８が取り付けられている。このＸ線検出器１８はその検出面が前記アーム６の他端に取り付けた後述のＸ線管２０と対向するようにして配置されている。また、前記アーム１６は、その各端部側に前記Ｘ線検出器１８およびＸ線管２０が取り付けられたほぼ「Ｃ」字状の形状をなし、前記回転軸１４に対して比較的自由な配置を可能とするが、たとえば図４および図５においては、前記回転軸１４を垂直軸とする平面内に位置づけられ、また、前記Ｘ線検出器１８を下方に前記Ｘ線管２０を上方に配置させるようになっている。
【００２０】
一方、天板支持台３０があり、この天板支持台３０は、前記Ｘ線撮影本体１０のアーム１６側において、該天板支持台３０の天板３６の下方に前記Ｘ線検出器１８を位置づけるようにして配置されている。前記天板３６には被検体（図示せず）を載置するようになっており、これにより、Ｘ線管２０からのＸ線は該被検体および天板３６を通してＸ線検出器１８に入射され、該Ｘ線検出器１８からの出力信号によって前記被検体のＸ線撮影像を得ることができる。
【００２１】
ここで、該天板支持台３０は、上述したようにＸ線撮影本体１０と物理的に分離されて構成されており、前記Ｘ線撮影本体１０の配置個所に拘束されることなく、床側に設けたキャスタ等からなる車３１によって自由に移動できるようになっている。このため該Ｘ線撮影本体１０によるＸ線撮影において該天板支持台３０を必要とする場合に、該天板支持台３０を移動させて図４および図５に示すように配置させることができるようになっている。また、天板３６に載置された被検体のうちＸ線撮影をしようとする部位の上方にＸ線管２０を配置させ（この場合、該部位の下方にはＸ線検出器１８が位置づけられる）るために、該天板支持台３を図４に示すように矢印Ａ方向（天板支持台３の長手方向）あるいは矢印Ｂ方向（天板支持台３の幅方向）に移動させることができるようになっている。
【００２２】
図１は、前記天板支持台３０のさらなる詳細を示す斜視図である。図１に示すように、天板支持台３０は、大別して、支持台３２と、この支持台３２の上部に配置される枠体３４と、この枠体３４の上部に配置される天板３６とを備えて構成されている。
【００２３】
支持台３２は、前記天板３６を載置して構成されることから、全体として該天板３６の載置面を上面とするほぼ直方体からなる形状となっている。
【００２４】
前記支持台３２は、たとえばキャスタ等からなる車３１を介して床上に配置されるようになっており、該車３１によって床上を自由に移動することができるようになっている。また、前記支持台３２は、その車３１にその回転を停止させるロック機構（図示せず）が備えられており、たとえばそのロックレバー３１ａの操作によって床上の任意の位置にブレーキ（抑止）が掛かった状態で停止させることができるようになっている。このように、前記車３１にロック機構を設けたのは、図４に示したように、天板３６上の被検体のうちＸ線撮影をしようとする部位の上方にＸ線管２０を配置させるために、該天板支持台３を図中矢印Ａ方向あるいは矢印Ｂ方向に移動させて適当な位置を定めた後にその位置を固定させる必要があるからである。
【００２５】
前記枠体３４は、図１では明確化されていないが、支持台３２の上面の周辺を縁取るような形状となっている。前記枠体３４は、前記支持台３２上を該支持台３２に対して移動できるようになっており、その移動の方向はたとえば該枠体３４の幅方向（該枠体の長手方向に直交する方向：図中ｂ方向）に一致づけられている。また、前記枠体３４は、その移動を停止させるロック機構（図示せず）が備えられており、そのロックレバーの操作によって前記支持台上の任意の位置にブレーキ（抑止）が掛かった状態で停止させることができるようになっている。なお、この移動は、後に詳述するように、一定の範囲内でなされるようになっており、この範囲内の移動において前記ロック機構を作動できるようになっている。
【００２６】
このように、前記枠体３４を支持台３２に対して移動できさらにその移動を抑止できるように構成したのは、図４に示したように天板支持台３をＸ線撮影本体１０に対して適当な位置に定めた後に、さらに微動移動（被検体の幅方向）させることができるようにして、天板３６上の被検体のＸ線撮影をしようとする部位の上方にＸ線管２０を正確に配置させるようにするためである。
【００２７】
前記天板３６は、その外周枠の大きさが前記枠体３４の外周枠の大きさとほぼ同じように構成された形状となっている。前記天板３６は、前記枠体３４上を該枠体３４に対して移動できるようになっており、その移動の方向は該天板３６の長手方向に一致づけられている。また、前記天板３６は、その移動を停止させるロック機構（図示せず）が備えられており、そのロックレバーの操作によって前記枠体３４上の任意の位置にブレーキ（抑止）が掛かった状態で停止させることができるようになってなっている。なお、この移動は、後に詳述するように、一定の範囲内でなされるようになっており、この範囲内の移動において前記ロック機構を作動できるようになっている。
【００２８】
この場合においても、前記天板３６を枠体３４に対して移動できさらにその移動を抑止できるように構成したのは、図４に示したように天板支持台３をＸ線撮影本体１０に対して適当な位置に定めた後に、さらに微動移動（被検体の長手方向）させることができるようにして、天板３６上の被検体のＸ線撮影をしようとする部位の上方にＸ線管２０を正確に配置させるようにするためである。
【００２９】
また、図２は、前記天板支持台３０を分解して示した斜視図で、図２（ａ）は前記天板３６を、図２（ｂ）は前記枠体３４を、図２（ｃ）は前記支持台３２を示している。
【００３０】
天板３６は矩形状の板材から構成され、その長手方向および幅方向の各長さは横臥される被検体が充分くつろげる状態になれるように定められている。
【００３１】
そして、前記天板３６の周辺に相当する部分には枠部３６ａが形成され、この枠部３６ａによって該天板３６の機械的強度を増大させ、たとえば該天板３６の反り等を防止するように構成されている。
【００３２】
また、図示されていないが、天板３６の前記枠部３６ａのうち該天板３６の長手方向に平行な枠部３６ａの裏面（枠体３４に対向する側の面）には、前記枠体３４との間に、該天板３６が前記枠体３４に対して上方向に離脱するのを防止されて該天板３６がその長手方向に移動できる天板摺動機構が取り付けられている。この天板摺動機構の構成については後述の枠体３４の説明の際に説明する。
【００３３】
また、前記天板３６は少なくとも前記枠部３６ａを除く部分においてたとえばカーボン材によって構成され、これによってＸ線が透過できるようになっている。天板３６としてこのような構成とするのは、該天板３６上に横臥された被検体（図示せず）に照射されたＸ線は前記天板３６を通して前記Ｘ線検出部１８に入射させる必要があるからである。
【００３４】
枠体３４は前記天板３６の枠部３６ａとほぼ同大同形からなり、この枠体３４で囲まれた部分は開口をなすフレーム構造となっている。
【００３５】
前記天板３６上に横臥された被検体に照射されたＸ線は、この枠体３４を含む平面よりも下方の側（Ｘ線管２０に対して反対側）に配置されるＸ線検出部１８に入射させる必要があることから、該枠体３４で囲まれた部分を開口状態としてＸ線量の損失を回避させている。
【００３６】
そして、枠体３４の全周のうち該枠体３４の長手方向に平行な部分の表面（天板３６に対向する側の面）には、前記天板３６との間に、前記天板３６がその長手方向に移動させることのできる前記天板摺動機構３４ｐが取り付けられている。
【００３７】
この天板摺動機構３４ｐは、たとえば、天板３６の移動方向に複数の車をそれらの軸を平行にして並設させた車列と、これら各車を天板３６の移動方向に延在して設けられた溝内に当接させて配置されるガイドレールを備え、前記車列は前記天板３６と枠体３４のうち一方に、前記ガイドレールは前記天板３６と枠体３４のうち他方にそれぞれ取り付けられて構成されている。たとえば図１に示す実施例の場合、車列は枠体３４の側に、ガイドレールは天板３６の側に設けられている。
【００３８】
そして、この天板摺動機構３４ｐは、たとえば天板３６の側に取り付けられるガイドレールの前記枠体３４の側の部分において前記溝を間にして形成される突出部の先端がそれぞれ前記枠体３４に形成された凹部に係止されるように屈曲されて構成されることにより、枠体３４に対する天板３６の上方向への離脱が防止されるようになっている。
【００３９】
さらに、この天板摺動機構３４ｐの一部において、枠体３４に対する天板３６の移動を停止させるロック機構が備えられ、たとえばそのロックレバー３４ｑの操作によって該ロック機構を動作させることができるようになっている。たとえば、前記ロック機構はそのロックレバー３４ｑの操作によって天板３６の側に取り付けられたガイドレールの溝の底面を押圧させるパッド部を設けること等によって構成することができる。このように構成したロック機構は、前記天板を枠体上の任意の位置にブレーキ（抑止）が掛かった状態で停止させることができるようになる。
【００４０】
また、枠体３４の全週のうち該枠体３４の幅方向（枠体の長手方向と直交する方向）に平行な部分の裏面（支持台３２に対向する側の面）には、前記支持台３２との間に、該枠体３４が前記支持台３２に対して上方向に離脱するのを防止されて該枠体３４の幅方向に移動できる枠体摺動機構が取り付けられている。この枠体摺動機構の構成については後述の支持台の説明の際に説明する。
【００４１】
支持台３２は、上述したようにほぼ直方体を構成するフレーム構造で形成されている。
【００４２】
ここで、前記直方体において、便宜上、天板３６が載置される面を上面、この上面と対向する面を底面、前記上面のうち前記枠体３４の移動方向と平行な辺と前記底面の対応する辺との間に位置づけられる各面のうち一方の面を前面、この前面と対向する面を後面、前記上面のうち前記天板３６の移動方向と平行な辺と前記底面の対応する辺との間に位置づけられる各面のうちＸ線管２０のスタンド１２が配置される側の面を内側面、この内側面と対向する面を外側面と称する。
【００４３】
まず、前記上面において、前記枠体３４とほぼ同大同形からなる上面枠組み部３４ａを有する。この上面枠組み部３４ａは、前記枠体３４と同様、該上面枠組み部３４ａで囲まれた部分は開口をなすフレーム構造からなっている。
【００４４】
前記枠体３４と同様に、前記天板３６上に横臥された被検体に照射されたＸ線は、この上面枠組み部３２ａを含む平面よりも下方の側（Ｘ線管２０に対して反対側）に配置されるＸ線検出部１８に入射させる必要があることから、該上面枠組み部３２ａで囲まれた部分を開口状態としてＸ線量の損失を回避させている。
【００４５】
そして、前記上面枠組み部３２ａの全周のうち該上面枠組み部３２ａの幅方向に平行な部分の表面（枠体３４に対向する側の面）には、前記枠体３４との間に、前記枠体３４がその幅方向に移動させることのできる枠体摺動機構３２ｐが取り付けられている。
【００４６】
この天板摺動機構３２ｐは、たとえば、枠体３４の移動方向に複数の車をそれらの軸を平行にして並設させた車列と、これら各車を枠体３４の移動方向に延在して設けられた溝内に当接させて配置されるガイドレールを備え、前記車列は前記枠体３４と上面枠組み部３２ａのうち一方に、前記ガイドレールは前記枠体３４と上面枠組み部３２ｐのうち他方にそれぞれ取り付けられて構成されている。たとえば図１に示す実施例の場合、車列は上面枠組み部（支持台）の側に、ガイドレールは枠体の側に設けられている。
【００４７】
そして、この天板摺動機構３２ｐは、たとえば枠体３４の側に取り付けられるガイドレールの前記上面枠組み部３２ａの側の部分において前記溝を間にして形成される突出部の先端がそれぞれ前記上面枠組み部３２ａに形成された凹部に係止されるように屈曲されて構成されることにより、上面枠組み部３２ａに対する枠体３４の上方向への離脱が防止されるようになっている。
【００４８】
さらに、この天板摺動機構３２ｐの一部において、上面枠組み部３２ａ（支持台３２）に対する枠体３４の移動を停止させるロック機構が備えられ、たとえばそのロックレバー３２ｑの操作によって該ロック機構を動作させることができるようになっている。たとえば、前記ロック機構はそのロックレバー３２ｑの操作によって枠体３４の側に取り付けられたガイドレールの溝の底面を押圧させるパッド部を設けること等によって構成することができる。このように構成したロック機構は、前記枠体３４を支持台３２上の任意の位置にブレーキ（抑止）が掛かった状態で停止させることができるようになる。
【００４９】
また、前記前面および後面のそれぞれにおいて、それらの面を縁取る矩形枠から内側面側の辺部を構成する枠を取り除いたほぼ「コ」字状の形状からなる前面枠組み部３２ｂおよび後面枠組み部３２ｃを有する。
【００５０】
ここで、前記前面枠組み部３２ｂおよび後面枠組み部３２ｃにあって、その一部が前記上面枠組み部３２ａの一部を兼ねた構成となっている。
【００５１】
そして、前面枠組み部３２ｂおよび後面枠組み部３２をその前記内側面側の枠を取り除いたほぼ「コ」字状の形状としたのは、Ｘ線管２０と対向して配置されるＸ線検出部１８が支持台３０の前記内側面側であって前記天板３６の真下に配置されることになり、この配置状態にするため該Ｘ線検出部１８に対して該支持台３０の前記前面側あるいは前記後面側から突入させるように移動させることがあっても前記Ｘ線検出部１８の支持台３０への干渉を回避させることを考慮したからである。
【００５２】
このことから、ほぼ「コ」字状からなる前記前面枠組み部３２ｂおよび後面枠組み部３２ｃのうち外側面側の枠は比較的太めに形成され、これにより、天板３６の上に横臥される被検体の重量に対して機械的に充分に耐え得る構造としている。
【００５３】
そして、前記前面枠組み部３２ｂおよび後面枠組み部３２ｃのうち底面における枠を兼ねて構成される枠には、それぞれその床側の面であって内側面および外側面の各側にキャスタが取り付けられている。このキャスタはその支軸を含む面で回転できる車３１を備えるとともに、近傍においてロックレバー３１ａを備えて構成され、このロックレバー３１ａの操作によって前記車３１を前記支軸の周りに回転するのを阻止できるようになっている。そして、このキャスタが取り付けられた前記前面枠組み部３２ｂおよび後面枠組み部３２ｃの各枠は比較的太めに形成され、これにより該枠へのキャスタの取り付けを信頼性あるものとしている。
【００５４】
また、前記外側面にあっては、矩形をなす外側面枠組み部３２ｄを有し、この外側面枠組み部３２ｄで囲まれた部分は開口をなすフレーム構造からなっている。この場合、該外側面枠組み部３２ｄの各辺における枠は、前記上面枠組み部３２ａ、前面枠組み部３２ｂ、および後面枠組み部３２ｃのそれぞれの一部の枠を兼ねた（共通とする）構成となっている。なお、この外側面にあっては、このように必ずしも開口が設けられたフレーム構造とする必要はなく、該開口を閉塞させた側壁部を設けるように構成してもよい。この支持台３２の内部に配置されるＸ線検出部１８を露わに目視させたくない場合等において、この部分に前記側壁部を設けることは極めて有効となる。
【００５５】
さらに、内側面にあっては、前記上面枠組み部３２ａの一部の枠を兼ねる（共通する）枠を有するのみとなっている。すなわち、天板支持台３０を内側面側から観た場合、天板３６はその内側面側において何ら支持されることなく浮上した状態として構成される。
【００５６】
このような構成とすることにより、天板３６の真下にＸ線検出部１８を配置させるようにして天板支持台３０を移動させる場合に、該Ｘ線検出部１８に対して該天板支持台３０をその内側面側から突入させるように移動させることがあっても前記Ｘ線検出部１８の天板支持台３０への干渉を回避させることができる。
【００５７】
なお、上述した支持台３２の構成によって、その底面はその面を縁取る矩形枠から内側面側の辺部を構成する枠を取り除いた底面枠組み部３２ｅで構成される。この場合において、該底面枠組み部３２ｅの該当する辺における枠は、前記外側面枠組み部３２ｄ、前面枠組み部３２ｂ、および後面枠組み部３２ｃのそれぞれの一部の枠を兼ねた（共通とする）構成となっている
上述した実施例の説明では、前記前面枠組み部３２ｂおよび後面枠組み部３２ｃを支持台３２の内側面側において枠を有しないほぼ「コ」字状としたものである。しかし、そのいずれにおいても前面あるいは後面を縁取る矩形枠、すなわち、ほぼ「ロ」字状の形状としてもよく、あるいは前面および後面のうち一方の面においてこのような構成としてもよい。なお、このようにほぼ「ロ」字状とした場合、その枠組み部の内側に開口を設ける必要はなく、該開口を閉塞させた側壁部を設けるように構成してもよい。
【００５８】
また、上述した実施例の説明では、支持台３２の底面において、その面を縁取る矩形枠から内側面側の辺部を構成する枠を取り除いた形状の底面枠組み部３２ｅを備えるものとして構成したものである。しかし、該底面を縁取る矩形枠の底面枠組み部として形成してもよい。この場合、支持台３２の内側面において、前記上面枠組み部３２ａとともに底面枠組み部３２ｅのそれぞれの一部の枠を兼ねる（共通する）枠を有するようになるが、このように構成するようにしてもよい。
【００５９】
このようなことから、ほぼ直方体からなる支持台は、少なくともその内側面側にて開口を有するように構成するようにしてもよい。このように構成することによって、本願発明による天板支持台３０をＸ線撮影装置の天板支持台３０として構成することができるようになるからである。
【００６０】
また、図３は、その（ａ）において、支持台３２の上面枠組み部３２ａに対する枠体３４の移動範囲を示した説明図であり、その（ｂ）において、枠体３４の天板３６の移動範囲を示した説明図である。
【００６１】
まず、図３（ａ）は、上面枠組み部３２ａに重ねて配置される枠体３４に対し、符号３４（Ｒ）で示す点線枠は前記枠体３４を左側へ移動した際の最大移動個所を示し、符号３４（Ｌ）で示す一点鎖線枠は前記枠体３４を右側へ移動した際の最大移動個所を示している。
【００６２】
前記枠体３４はそれ自体その内部に開口を有するフレーム構造となっており、その移動にあって枠体３４の内部に支持台３２の上面枠組み部３２の枠が入り込んでくるのを免れない。前記上面枠組み部３２ａは通常Ｘ線を透過しない材料で構成されることから、Ｘ線撮影の際において被検体とともに該上面枠組み部３２ａが撮影されてしまうことになる。
【００６３】
このため、Ｘ線撮影において該上面枠組み部３２ａによる支障がない範囲内で前記枠体３４を移動させることが好ましく、この観点から、前記枠体３４の幅をＷとした場合に、該枠体３４の図中右側および左側へのそれぞれの移動許容範囲をＷ×１／３以内とするのが経験則上望ましい。
【００６４】
同様に、図３（ｂ）は、枠体３４に重ねて配置される天板３６に対し、符号３６（Ｆ）で示す一点鎖線枠は前記天板３６を前方へ移動した際の最大移動個所を示し、符号３６（Ｂ）で示す点線枠は前記天板３６を後方へ移動した際の最大移動個所を示している。
【００６５】
図３（ａ）に示したと同様の趣旨から、前記天板３６の長手方向の長さをＬとした場合に、該天板３６の図中前方側および後方側へのそれぞれの移動許容範囲をＬ×１／４以内とするのが望ましい。
【００６６】
また、枠体３４および天板３６の各移動は、被検体に対してＸ線管２０を所定の部位に正確に位置づけるためであることから、被検体の幅方向および長手方向の移動許容範囲を異ならしめることなく同じにしてもよく、Ｘ線非透過部材の影響の大きな図３（ａ）の場合を基準にして、該天板３６の図中前方側および後方側へのそれぞれの移動許容範囲をＷ×１／３以内としてもよいことはいうまでもない。
【００６７】
なお、上述した実施例では、支持台３２に対してその幅方向に移動するのは枠体３４としたものであるが、この枠体３４を支持台３２の長手方向に移動させ、天板３６を支持台３２の幅方向に移動させるようにしてもよい。この場合の前記天板３６の移動許容範囲は、上述した枠体３４の場合と同様に、支持台３２の幅をＷとした場合に左右方向にそれぞれＷ×１／３とするようにしてもよいことはもちろんである。さらに、前記枠体３４を支持台３２の長手方向に移動させる場合においても、前記天板３６の長手方向における移動の上述した移動許容範囲以内とするようにしてもよいことはもちろんである。
【００６８】
さらに、上述した実施例では、支持台３２に対する枠体３４の移動のロック機構のロックレバー３２ｑ、および枠体３４に対する天板３６の移動のロック機構のロックレバー３４ｑは、それぞれ支持台３２および枠体３４に取り付けた構成としたものである。しかし、その操作性を向上させるため、前記ロックレバー３２ｑ、ロックレバー３４ｑをそれぞれ操作者の足で操作できるフットペダルに置き換えて構成するようにしてもよい。
【００６９】
上述した各実施例はそれぞれ単独に、あるいは組み合わせて用いても良い。それぞれの実施例での効果を単独であるいは相乗して奏することができるからである。
【図面の簡単な説明】
【００７０】
【図１】本発明によるＸ線撮影装置に備えられる天板支持台の一実施例を示す斜視図である。
【図２】本発明によるＸ線撮影装置に備えられる天板支持台の一実施例を示す分解斜視図である。
【図３】本発明によるＸ線撮影装置に備えられる天板支持台における支持台の上面枠組み部に対する枠体の移動範囲、および、枠体の天板の移動範囲を示した説明図である。
【図４】本発明によるＸ線撮影装置の一実施例を示す斜視図である。
【図５】図４に示したＸ線撮影装置の上面図、正面図、および左側の側面図である。
【符号の説明】
【００７１】
１０……Ｘ線撮影本体、１６……アーム、１８……Ｘ線検出器、２０……Ｘ線管、３０……天板支持台、３１……車、３１ａ……ロックレバー、３２……支持台、３２ｐ……枠体摺動機構、３２ｑ……ロックレバー、３４……枠体、３４ｐ……天板摺動機構、３４ｑ……ロックレバー、３６……天板。
【図１】
2007175265.tif 000003
【図２】
2007175265.tif 000004
【図３】
2007175265.tif 000005
【図４】
2007175265.tif 000006
【図５】
2007175265.tif 000007